(57)【要約】【課題】過度に曲げ加工された板材を容易に曲げ戻すことができる板材曲げ加工装置用曲げ戻し加工具を提供する。【解決手段】上部テーブルと、上型５と、下部テーブルと、下型９とを備え、上型５と下型９との間に板材１１を配置させ、上部テーブルを下部テーブルに対して相対的に移動させることにより上型５と下型９とで板材１１を曲げ加工する板材曲げ加工装置に用いられ、過度に曲げ加工された板材１１の被加工部１５を曲げ戻しさせる板材曲げ加工装置用曲げ戻し加工具１において、上型５に配置され、上部テーブルの移動により板材１１の被加工部１５の鈍角側を押圧する上部戻し部材１７と、下型９に配置されて板材１１の被加工部１５の鋭角側に位置され、上部戻し部材１７の被加工部１５の押圧により被加工部１５を曲げ戻しする下部戻し部材１９とを有した。【選択図】図３
2013202666.tif 000002
【特許請求の範囲】
【請求項１】
上部テーブルと、この上部テーブルに固定された上型と、前記上部テーブルに対向して配置された下部テーブルと、この下部テーブルに固定された下型とを備え、前記上型と前記下型との間に板材を配置させ、前記上部テーブルを前記下部テーブルに対して相対的に移動させることにより前記上型と前記下型とで前記板材を曲げ加工する板材曲げ加工装置に用いられ、過度に曲げ加工された前記板材の被加工部を曲げ戻しさせる板材曲げ加工装置用曲げ戻し加工具であって、
前記上型に配置され、前記上部テーブルの移動により前記板材の被加工部の鈍角側を押圧する上部戻し部材と、前記下型に配置されて前記板材の被加工部の鋭角側に位置され、前記上部戻し部材の前記被加工部の押圧により前記被加工部を曲げ戻しする下部戻し部材とを有することを特徴とする板材曲げ加工装置用曲げ戻し加工具。
【請求項２】
請求項１記載の板材曲げ加工装置用曲げ戻し加工具であって、
前記上部戻し部材は、矩形状に形成され、前記下部戻し部材は、円柱状に形成されていることを特徴とする板材曲げ加工装置用曲げ戻し加工具。
【発明の詳細な説明】
【技術分野】
【０００１】
本発明は、板材曲げ加工装置用曲げ戻し加工具に関する。
【背景技術】
【０００２】
従来、板材曲げ加工装置としては、上部テーブルと、この上部テーブルに固定された上型と、上部テーブルに対向して配置された下部テーブルと、この下部テーブルに固定された下型とを備えたものが知られている（例えば、特許文献１参照）。
【０００３】
この板材曲げ加工装置では、上型と下型との間に板材を配置させ、上部テーブルを下部テーブルに対して相対的に移動させることにより上型と下型とで板材を曲げ加工している。
【０００４】
ところで、このような板材曲げ加工装置によって過度に曲げ加工された板材は、被加工部の鋭角側に治具を配置させ、この治具を金槌などによって被加工部を開くように叩くことにより被加工部の曲げ戻しを行っている。
【先行技術文献】
【特許文献】
【０００５】
【特許文献１】特開平８−３３９２２号公報
【発明の概要】
【発明が解決しようとする課題】
【０００６】
しかしながら、上記のような治具を用いた板材の曲げ戻しでは、板材の板厚が厚いものや抗張力の高い材質になるほど大きな荷重が必要となり、曲げ戻しを容易に行うことができなかった。
【０００７】
そこで、この発明は、過度に曲げ加工された板材を容易に曲げ戻すことができる板材曲げ加工装置用曲げ戻し加工具の提供を目的としている。
【課題を解決するための手段】
【０００８】
請求項１記載の発明は、上部テーブルと、この上部テーブルに固定された上型と、前記上部テーブルに対向して配置された下部テーブルと、この下部テーブルに固定された下型とを備え、前記上型と前記下型との間に板材を配置させ、前記上部テーブルを前記下部テーブルに対して相対的に移動させることにより前記上型と前記下型とで前記板材を曲げ加工する板材曲げ加工装置に用いられ、過度に曲げ加工された前記板材の被加工部を曲げ戻しさせる板材曲げ加工装置用曲げ戻し加工具であって、前記上型に配置され、前記上部テーブルの移動により前記板材の被加工部の鈍角側を押圧する上部戻し部材と、前記下型に配置されて前記板材の被加工部の鋭角側に位置され、前記上部戻し部材の前記被加工部の押圧により前記被加工部を曲げ戻しする下部戻し部材とを有することを特徴とする。
【０００９】
この板材曲げ加工装置用曲げ戻し加工具では、過度に曲げ加工された板材の曲げ戻しを行う際に、上型と下型とに上部戻し部材と下部戻し部材とを配置させればよいので、上型と下型とを交換する作業を必要とすることがなく、過度に曲げ加工された板材の曲げ戻しを容易に行うことができる。
【００１０】
また、板材曲げ加工装置を用いて過度に曲げ加工された板材の曲げ戻しを行うので、板厚が厚いものや抗張力の高い材質など曲げ戻しの際に大きな荷重を必要とする板材を容易に曲げ戻すことができる。
【００１１】
従って、このような板材曲げ加工装置用曲げ戻し加工具では、上型と下型とを交換する作業を必要とすることがないと共に、曲げ戻しの際に大きな荷重を得ることができるので、過度に曲げ加工された板材を容易に曲げ戻すことができる。
【００１２】
請求項２記載の発明は、請求項１記載の板材曲げ加工装置用曲げ戻し加工具であって、前記上部戻し部材は、矩形状に形成され、前記下部戻し部材は、円柱状に形成されていることを特徴とする。
【００１３】
この板材曲げ加工装置用曲げ戻し加工具では、上部戻し部材が矩形状に形成され、下部戻し部材が円柱状に形成されているので、上部戻し部材と下部戻し部材の形状が複雑化することがなく、上部戻し部材と下部戻し部材の形状を簡素化することができる。
【発明の効果】
【００１４】
本発明によれば、過度に曲げ加工された板材を容易に曲げ戻すことができる板材曲げ加工装置用曲げ戻し加工具を提供することができるという効果を奏する。
【図面の簡単な説明】
【００１５】
【図１】本発明の実施の形態に係る板材曲げ加工装置の概略図である。
【図２】本発明の実施の形態に係る板材曲げ加工装置用曲げ戻し加工具の側面図である。
【図３】（ａ）は本発明の実施の形態に係る板材曲げ加工装置用曲げ戻し加工具に過度に曲げ加工された板材を配置したときの側面図である。（ｂ）は本発明の実施の形態に係る板材曲げ加工装置用曲げ戻し加工具によって板材を曲げ戻したときの側面図である。
【発明を実施するための形態】
【００１６】
図１〜図３を用いて本発明の実施の形態に係る板材曲げ加工装置用曲げ戻し加工具について説明する。
【００１７】
本実施の形態に係る板材曲げ加工装置用曲げ戻し加工具１は、上部テーブル３と、この上部テーブル３に固定された上型５と、上部テーブル３に対向して配置された下部テーブル７と、この下部テーブル７に固定された下型９とを備え、上型５と下型９との間に板材１１を配置させ、上部テーブル３を下部テーブル７に対して相対的に移動させることにより上型５と下型９とで板材１１を曲げ加工する板材曲げ加工装置１３に用いられ、過度に曲げ加工された板材１１の被加工部１５を曲げ戻しさせる。
【００１８】
そして、上型５に配置され、上部テーブル３の移動により板材１１の被加工部１５の鈍角側を押圧する上部戻し部材１７と、下型９に配置されて板材１１の被加工部１５の鋭角側に位置され、上部戻し部材１７の被加工部１５の押圧により被加工部１５を曲げ戻しする下部戻し部材１９とを有する。
【００１９】
また、上部戻し部材１７は、矩形状に形成され、下部戻し部材１９は、円柱状に形成されている。
【００２０】
図１に示すように、板材曲げ加工装置１３は、上部テーブル３と、上型５と、下部テーブル７と、下型９とを備えている。
【００２１】
上部テーブル３は、下部テーブル７の上方に下部テーブル７から離間して配置され、電動モータなどを有する駆動機構（不図示）に接続されて下部テーブル７に対して昇降可能とされている。この上部テーブル３には、ボルトなどの固定手段（不図示）によって上型ホルダ（不図示）が固定されており、この上型ホルダを介して上型５が上部テーブル３と一体的に配置されている。
【００２２】
図１〜図３に示すように、上型５は、直方体状に形成され、上型ホルダとの間にそれぞれ凹凸形状の係合部（不図示）が形成されて上型ホルダの側面からスライド式に組付けられ、ボルトなどの固定手段（不図示）によって上型ホルダに固定される。
【００２３】
この上型５の下型９側の端面には、Ｖ字状に形成された加工部２１が設けられている。この加工部２１は、上部テーブル３の下降によって板材１１を押圧し、板材１１を曲げ加工するパンチとなっている。この上型５の下方には、下部テーブル７が設置されている。
【００２４】
下部テーブル７は、上部テーブル３及び上型５の下方に上部テーブル３及び上型５から離間して配置されている。この下部テーブル７には、ボルトなどの固定手段（不図示）によって下型ホルダ（不図示）が固定されており、この下型ホルダを介して下型９が下部テーブル７と一体的に配置されている。
【００２５】
下型９は、直方体状に形成され、下型ホルダとの間にそれぞれ凹凸形状の係合部（不図示）が形成されて下型ホルダの側面からスライド式に組付けられ、ボルトなどの固定手段（不図示）によって下型ホルダに固定される。
【００２６】
この下型９の上型５側の端面には、板材１１を所定角度曲げ加工するために設定されたＶ溝２３が形成されている。このＶ溝２３は、上型５の加工部２１とで板材１１を挟み込んで押圧（加圧）して曲げ加工するダイとなっている。
【００２７】
このような板材曲げ加工装置１３によって曲げ加工されるワークとしての板材１１は、鋼などからなり、被加工部１５が所定角度以上曲げ加工されてしまうことがある。この過度に曲げ加工された板材１１は、上部戻し部材１７と下部戻し部材１９とによって曲げ戻しされる。
【００２８】
上部戻し部材１７は、矩形状に形成され、上型５側の端面に上型５の加工部２１と同一形状となる係合溝２５が設けられている。この上部戻し部材１７は、係合溝２５を上型５の加工部２１に係合させることによって上型５に一体的に配置される。なお、係合溝２５と加工部２１との間に凹凸形状の係合部を形成して上型５に上部戻し部材１７を固定する、もしくは上部戻し部材１７を磁石などで形成し磁力によって上型５に上部戻し部材１７を固定するなどして、上部戻し部材１７は上型５からの脱落が防止されている。
【００２９】
このような上部戻し部材１７は、過度に曲げ加工された板材１１の被加工部１５の鈍角側に位置され、上部テーブル３の下降によって被加工部１５側の押圧面２７が被加工部１５の鈍角側を押圧（加圧）する。この上部戻し部材１７の下方には、下部戻し部材１９が位置される。
【００３０】
下部戻し部材１９は、円柱状に形成され、下型９側が下型９のＶ溝２３内に配置される。この下部戻し部材１９の上部戻し部材１７側には、過度に曲げ加工された板材１１の被加工部１５の鋭角側が位置される。
【００３１】
このような下部戻し部材１９は、上部戻し部材１７の板材１１の被加工部１５の鈍角側の押圧により被加工部１５の鋭角側を曲面に沿って開かせ、過度に曲げ加工された板材１１の曲げ戻しを行う。
【００３２】
ここで、このような板材曲げ加工装置用曲げ戻し加工具１による過度に曲げ加工された板材１１の曲げ戻し方法は、まず、上部戻し部材１７と下部戻し部材１９とをそれぞれ上型５と下型９とに配置させる。次に、下部戻し部材１９上に、過度に曲げ加工された板材１１の被加工部１５の鋭角側を配置させる。そして、上部テーブル３を下降させ、上部戻し部材１７で被加工部１５の鈍角側を押圧し、下部戻し部材１９によって被加工部１５の鋭角側を拡開させ、板材１１の曲げ戻しを行う。
【００３３】
このような板材曲げ加工装置用曲げ戻し加工具１では、過度に曲げ加工された板材１１の曲げ戻しを行う際に、上型５と下型９とに上部戻し部材１７と下部戻し部材１９とを配置させればよいので、上型５と下型９とを交換する作業を必要とすることがなく、過度に曲げ加工された板材１１の曲げ戻しを容易に行うことができる。
【００３４】
また、板材曲げ加工装置１３を用いて過度に曲げ加工された板材１１の曲げ戻しを行うので、板厚が厚いものや抗張力の高い材質など曲げ戻しの際に大きな荷重を必要とする板材１１を容易に曲げ戻すことができる。
【００３５】
従って、このような板材曲げ加工装置用曲げ戻し加工具１では、上型５と下型９とを交換する作業を必要とすることがないと共に、曲げ戻しの際に大きな荷重を得ることができるので、過度に曲げ加工された板材１１を容易に曲げ戻すことができる。
【００３６】
また、上部戻し部材１７は矩形状に形成され、下部戻し部材１９は円柱状に形成されているので、上部戻し部材１７と下部戻し部材１９の形状が複雑化することがなく、上部戻し部材１７と下部戻し部材１９の形状を簡素化することができる。
【００３７】
なお、本発明の実施の形態に係る板材曲げ加工装置用曲げ戻し加工具では、上部戻し部材が矩形状に形成され、下部戻し部材が円柱状に形成されているが、これに限らず、上型と下型とに対して取り外し可能で、板材曲げ加工装置を用いて過度に曲げ加工された板材の曲げ戻しを行える形状であれば、上部戻し部材と下部戻し部材の形状はどのような形状であってもよい。
【符号の説明】
【００３８】
１…板材曲げ加工装置用曲げ戻し加工具
３…上部テーブル
５…上型
７…下部テーブル
９…下型
１１…板材
１３…板材曲げ加工装置
１５…被加工部
１７…上部戻し部材
１９…下部戻し部材
【図１】
2013202666.tif 000003
【図２】
2013202666.tif 000004
【図３】
2013202666.tif 000005